【手続補正書】
【提出日】平成30年10月19日(2018.10.19)
【手続補正１】
【補正対象書類名】特許請求の範囲
【補正対象項目名】全文
【補正方法】変更
【補正の内容】
【特許請求の範囲】
【請求項１】
ウェアラブルデバイス用のワイヤレス充電システムであって、前記ワイヤレス充電システムが、
外部生成磁場の存在下で、前記ウェアラブルデバイス内の電子構成要素に電力をワイヤレスに提供するように構成された複数のコイルを備え、前記複数のコイルが、
前記ウェアラブルデバイスのデバイス本体と一体化された第1のコイルと、
前記ウェアラブルデバイスをユーザに固定するように構成された前記ウェアラブルデバイスの一部と一体化された第2のコイルであって、非平面の輪郭を有する、第2のコイルと
を備え、前記複数のコイルが、3次元において互いに対して異なる角度で配置される、ワイヤレス充電システム。
【請求項２】
前記ウェアラブルデバイスが前記外部生成磁場内で第1の向きにあるときの前記複数のコイルと前記外部生成磁場を生成するように構成されたトランスミッタコイルとの間の第1の相互インダクタンスが、前記ウェアラブルデバイスが前記外部生成磁場内で第2の向きにあるときの前記複数のコイルと前記トランスミッタコイルとの間の第2の相互インダクタンスの20%以内である、請求項1に記載のシステム。
【請求項３】
前記第1のコイルが、前記ウェアラブルデバイスが前記第1の向きにあるとき、前記外部生成磁場の第1の成分に対して垂直であり、前記第2のコイルが、前記ウェアラブルデバイスが前記第2の向きにあるとき、前記外部生成磁場の前記第1の成分に対して垂直である、または、
前記第1のコイルが、前記ウェアラブルデバイスが前記第1の向きにあるとき、前記外部生成磁場の第1の成分に対して垂直ではなく、前記第2のコイルが、前記ウェアラブルデバイスが前記第2の向きにあるとき、前記外部生成磁場の前記第1の成分に対して垂直ではない、請求項2に記載のシステム。
【請求項４】
前記複数のコイルと前記外部生成磁場を生成するように構成されたトランスミッタコイルとの間の合成相互インダクタンスが、前記外部生成磁場内の前記ウェアラブルデバイスの複数の向きの各々において実質的に同じである、または、
i)前記ウェアラブルデバイスが前記外部生成磁場内で第1の向きにあるときの前記複数のコイルと前記外部生成磁場を生成するように構成されたトランスミッタコイルとの間の第1の相互インダクタンスと、ii)前記ウェアラブルデバイスが前記外部生成磁場内で第2の向きにあるときの前記複数のコイルと前記トランスミッタコイルとの間の第2の相互インダクタンスとの間の比が、実質的に1.2である、または、
前記第1のコイルが巻回される第1の平面が、前記第2のコイルが巻回される第2の平面と実質的に直交する、または、
前記電子構成要素が、バッテリ充電回路もしくは電力管理回路のうちの少なくとも1つ、またはそれらの組合せである、または、
前記ウェアラブルデバイスをユーザに固定するように構成された前記ウェアラブルデバイスの前記一部が、可撓性ストラップである、または、
前記ウェアラブルデバイスをユーザに固定するように構成された前記ウェアラブルデバイスの前記一部が、前記デバイス本体の端部に接続された第1の湾曲セグメントと、前記デバイス本体の反対側の端部に接続された第2の湾曲セグメントとを備え、前記第2のコイルが、前記第1の湾曲セグメント内に配置され、前記複数のコイルの第3のコイルが、前記第2の湾曲セグメント内に配置された、または、
前記複数のコイルが、前記デバイス本体上に配置された第3のコイルをさらに備え、前記第1のコイルおよび前記第3のコイルが、前記デバイス本体の対向する側に配置された、または、
前記第1のコイルが、前記デバイス本体の表面上に配置された、または、
前記ウェアラブルデバイスが、腕時計、電子フィットネスモニタリングデバイス、電子ブレスレット、または電子バッジである、請求項1に記載のシステム。
【請求項５】
複数のキャパシタをさらに備え、前記複数のコイルの各コイルが、前記複数のキャパシタのそれぞれ1つに電気的に結合される、請求項1に記載のシステム。
【請求項６】
各コイルおよびそれぞれのキャパシタが、前記外部生成磁場の周波数で共振するように構成された共振回路を形成する、請求項5に記載のシステム。
【請求項７】
前記複数のコイルに電気的に接続され、前記複数のコイルのうちの2つ以上を選択的に電気的に相互接続するように動作可能な複数のスイッチをさらに備える、請求項1に記載のシステム。
【請求項８】
前記外部生成磁場内の前記ウェアラブルデバイスの検出された向きに基づいて、前記複数のコイルと前記外部生成磁場を生成するように構成されたトランスミッタコイルとの間の相互インダクタンスを調整するために、前記複数のコイルのうちの2つ以上を選択的に電気的に相互接続するように前記複数のスイッチを動作させるように構成されたコントローラ回路をさらに備える、請求項7に記載のシステム。
【請求項９】
前記複数のコイルに電気的に接続され、前記複数のコイルを異なる組合せで選択的に相互接続するように動作可能な複数のスイッチと
を備え、
前記複数のスイッチが、前記ウェアラブルデバイスの第1の電子構成要素に電気的に相互接続された前記複数のコイルを備える第1の組合せで前記複数のコイルを電気的に相互接続するように動作可能であり、前記複数のコイルが、外部生成磁場に結合され、前記第1の電子構成要素に電力を提供するように構成され、
前記複数のスイッチが、前記第1の電子構成要素に電気的に相互接続された前記複数のコイルのサブセットと、前記ウェアラブルデバイス内の第2の電子構成要素に電気的に接続された前記複数のコイルのうちの少なくとも1つとを備える第2の組合せで前記複数のコイルを電気的に相互接続するように動作可能であり、前記複数のコイルの前記サブセットが、前記外部生成磁場に結合され、前記第1の電子構成要素に電力を提供するように構成された、請求項1に記載のシステム。
【請求項１０】
前記第2の組合せにおいて、前記複数のコイルの前記サブセットが、電気的に相互接続され、前記外部生成磁場に結合するように構成され、前記複数のコイルのうちの前記少なくとも1つが、主通信アンテナまたはダイバーシティ通信アンテナとして構成された、請求項9に記載のシステム。
【請求項１１】
前記主通信アンテナまたは前記ダイバーシティ通信アンテナが、LTE通信、UMTS通信、CDMA通信、GSM(登録商標)通信、WiFi通信、Bluetooth(登録商標)通信、GPS通信、もしくは無線通信のうちの少なくとも1つ、またはそれらの組合せのためのものである、請求項10に記載のシステム。
【請求項１２】
前記第2の組合せでの前記複数のコイルのうちの前記少なくとも1つが、前記デバイス本体の表面側に配置され、GPS通信のために構成された、または、
前記第1の電子構成要素が、バッテリ充電回路を含み、前記第2の電子構成要素が、通信回路を含む、または、
前記第1の組合せが、直列もしくは並列またはそれらの組合せで電気的に相互接続された前記複数のコイルのうちの少なくともいくつかを備える、または、
前記第2の組合せが、前記ウェアラブルデバイス内の第3の電子構成要素に電気的に接続された前記複数のコイルのうちの別の1つをさらに備える、または、
前記第2の組合せが、前記ウェアラブルデバイス内の第3の電子構成要素に電気的に接続された前記複数のコイルのうちの別の1つをさらに備えるとともに、前記複数のコイルのうちの前記少なくとも1つが、主通信アンテナとして構成され、前記複数のコイルのうちの前記別の1つが、ダイバーシティ通信アンテナとして構成された、請求項9に記載のシステム。
【請求項１３】
ワイヤレス充電システムを有するウェアラブルデバイスを構成する方法であって、
前記ウェアラブルデバイスが、前記ウェアラブルデバイスのデバイス本体と一体化された第1のコイルと、前記ウェアラブルデバイスをユーザに固定するように構成された前記ウェアラブルデバイスの一部と一体化された第2のコイルとを備える複数のコイルを備え、前記第2のコイルが非平面の輪郭を有し、前記複数のコイルが、3次元において互いに対して異なる角度で配置され、
前記方法が、
複数の位置で前記ウェアラブルデバイスと一体化されるように構成された複数のコイルと、外部生成磁場を生成するように構成されたトランスミッタコイルとの間の目標相互インダクタンス(Mtarget)を選択するステップと、
前記外部生成磁場内の前記ウェアラブルデバイスの複数の配置向きを決定するステップと、
前記複数の配置向きの各々に関する前記複数のコイルと前記トランスミッタコイルとの間の総相互インダクタンスを決定するステップと、
前記複数のコイルの1つまたは複数の設計パラメータを変更するステップと、
前記複数の配置向きの各々に関する前記総相互インダクタンスが実質的にMtargetの20%以内になるまで、前記総相互インダクタンスを決定する前記ステップと前記1つまたは複数の設計パラメータを変更する前記ステップとを繰り返すステップと
を備える方法。
【請求項１４】
前記複数のコイルと前記トランスミッタコイルとの間の前記総相互インダクタンスを決定するステップが、前記複数の配置向きに関する前記複数のコイルの各々と前記トランスミッタコイルとの間の個々の相互インダクタンスを決定することに基づき、前記1つまたは複数の設計パラメータを変更する前記ステップが、前記外部生成磁場内の前記ウェアラブルデバイスの所与の配置向きに関する前記個々の相互インダクタンスが実質的にMtargetの平均を有するまで繰り返される、または、
前記総相互インダクタンスを決定する前記ステップおよび前記1つまたは複数の設計パラメータを変更する前記ステップを繰り返す前記ステップが、前記複数の配置向きの各々に関する前記総相互インダクタンスがMtargetに実質的に等しくなるまで繰り返される、請求項13に記載の方法。